(57)【要約】【課題】胴縁が濡れにくく、かつ施工が容易な外壁構造を提供する。【解決手段】建物の開口部１０に設けられた枠２の一辺を構成する枠材２０と、既存壁３との間に止水材４が設けられている。既存壁３の屋外側に位置する見切縁５が、既存壁３を介して既存胴縁１３に取り付けられている。新設胴縁６が、見切縁５及び既存壁３を介して既存胴縁１３に取り付けられている。新設胴縁６に新設壁７が取り付けられている。見切縁５は、新設壁７及び新設胴縁６を、新設壁７の屋外側面から新設壁７の枠材２０側の端面、新設胴縁６の枠材２０側の端面及び新設胴縁６の屋内側面に亘って覆っている。【選択図】図１
2018053515.tif 000002
【特許請求の範囲】
【請求項１】
建物の開口部に設けられた枠の一辺を構成する枠材と、
前記枠の外周に位置し、前記枠材と並ぶ既存胴縁と、
前記既存胴縁に取り付けられた既存壁と、
前記枠材と前記既存壁との間に設けられた止水材と、
前記既存壁の屋外側に位置し、前記既存壁を介して前記既存胴縁に取り付けられた見切縁と、
前記見切縁及び前記既存壁を介して前記既存胴縁に取り付けられた新設胴縁と、
前記新設胴縁に取り付けられた新設壁とを備え、
前記見切縁は、前記新設壁及び前記新設胴縁を、前記新設壁の屋外側面から該新設壁の前記枠材側の端面、前記新設胴縁の前記枠材側の端面及び該新設胴縁の屋内側面に亘って覆うことを特徴とする外壁構造。
【請求項２】
前記見切縁は、屋内側端部が前記既存壁と前記新設胴縁との間に配置されて、前記屋内側端部及び前記既存壁を通って前記既存胴縁に打ち込まれた固着具により前記既存胴縁に取り付けられており、前記新設胴縁は、前記新設胴縁、前記屋内側端部、及び前記既存壁を通って前記既存胴縁に打ち込まれた固着具により前記既存胴縁に取付けられたことを特徴とする請求項１に記載の外壁構造。
【発明の詳細な説明】
【技術分野】
【０００１】
本発明は外壁構造に関し、詳しくは、建物開口部周りの外壁構造に関する。
【背景技術】
【０００２】
特許文献１には壁材端部を覆う建築用窓廻り部材が開示されている。
【先行技術文献】
【特許文献】
【０００３】
【特許文献１】特開平７−２５９２９３号公報
【発明の概要】
【発明が解決しようとする課題】
【０００４】
ところで、既存建物の開口部周りをリフォームする場合、既存壁に新設胴縁を介して新設壁を設ける場合がある。この場合、例えば図２に示すように、新設胴縁６に取り付けられた見切縁５により、新設壁７の開口部１０側の端部の屋外側面及び開口部１０側の端面、並びに新設胴縁６の屋外側面及び開口部１０側の端面を覆うことで、開口部１０周りの意匠性を向上すると共に、新設胴縁６が雨水で濡れることを抑制できる。
【０００５】
しかし、図２に示す外壁構造にあっては、新設胴縁６の屋内側面６０が見切縁５によって覆われていない。このため、開口部１０に設けられた枠２の一辺を構成する枠材２０と、見切縁５との間から雨水が浸入すると、この雨水が新設胴縁６の屋内側面６０に至り、新設胴縁６が濡れて腐りやすくなる可能性がある。また、例えば図２に示すように、シーリング材８を設けて、枠材２０と見切縁５との間から雨水が浸入することを抑制すれば、新設胴縁６の屋内側面６０には雨水が至り難くなる。しかし、この場合、枠材２０と見切縁５との間を十分に止水する必要があって手間を要し、また、シーリング材８が経年劣化等した場合には雨水が新設胴縁６に至る可能性がある。
【０００６】
本発明は前記事情に鑑みてなされたものであって、新設胴縁が濡れにくく、かつ施工を容易にできる外壁構造を提供することを目的とする。
【課題を解決するための手段】
【０００７】
前記目的を達成するために本発明に係る一態様の外壁構造は、以下に示す特徴を有している。外壁構造は、枠材と、既存胴縁と、既存壁と、止水材と、見切縁と、新設胴縁と、新設壁とを備えている。前記枠材は、建物の開口部に設けられた枠の一辺を構成している。前記既存胴縁は、前記枠の外周に位置し、前記枠材と並んでいる。前記既存壁は前記既存胴縁に取り付けられている。前記止水材は、前記枠材と前記既存壁との間に設けられている。前記見切縁は、前記既存壁の屋外側に位置し、前記既存壁を介して前記既存胴縁に取り付けられている。前記新設胴縁は、前記見切縁及び前記既存壁を介して前記既存胴縁に取り付けられている。前記新設壁は、前記新設胴縁に取り付けられている。前記見切縁は、前記新設壁及び前記新設胴縁を、前記新設壁の屋外側面から該新設壁の前記枠材側の端面、前記新設胴縁の前記枠材側の端面及び該新設胴縁の屋内側面に亘って覆っている。
【発明の効果】
【０００８】
本発明に係る外壁構造は、新設胴縁を濡れ難くすることができ、かつ施工を容易にできる。
【図面の簡単な説明】
【０００９】
【図１】図１は、本発明に係る一実施形態の外壁構造の縦断面図である。
【図２】図２は、参考例の外壁構造の断面図である。
【発明を実施するための形態】
【００１０】
以下に示す実施形態は、外壁構造に関し、詳しくは、建物開口部周りの外壁構造に関する。
【００１１】
図１に示す本実施形態の外壁構造は、既存建物の開口部１０下側の外壁構造をリフォームした外壁構造であり、既存壁３に新設胴縁６を介して新設壁７が取り付けられている。以下では、図１における上側及び下側をそれぞれ「上側」及び「下側」とし、また、右側及び左側をそれぞれ「屋内側」及び「屋外側」とし、さらに、紙面奥行き方向を「左右方向」とする。
【００１２】
本実施形態の外壁構造は、壁下地１、枠２、既存壁３、止水材４、見切縁５、新設胴縁６、及び新設壁７を備えており、このうち、見切縁５、新設胴縁６、及び新設壁７が、壁下地１、枠２、既存壁３、及び止水材４を有する既存建物に対して、新たに設けられる。
【００１３】
壁下地１には、屋内外方向に貫通した矩形状の開口部１０が形成されている。本実施形態の壁下地１は、開口部１０の下縁を構成する窓台１１、窓台１１の屋外側の面に沿って設けられた合板１２を有している。
【００１４】
開口部１０には矩形状の枠（窓枠）２が設けられている。枠２は金属製である。枠２は、下辺（下側の一辺）を構成する枠材２０を有している。枠材２０は、図示しないガラス窓のような窓戸をスライド可能に支持するレール部２４を有している。枠材２０は、釘やビス等の固着具９４によって窓台１１に屋外側から固定されている。
【００１５】
本実施形態の壁下地１は、枠材２０の屋外側面と合板１２の屋外側面とに跨って設けられたブチルテープ１６と、合板１２の屋外側面に設けられた透湿防水シート１５と、透湿防水シート１５を介して合板１２の屋外側に位置して、釘やビス等の固着具９５によって、合板１２に取り付けられた既存胴縁１３（既存の胴縁１３）とをさらに有している。本実施形態の既存胴縁１３は、横胴縁であって、枠材２０の下方（外側）に位置し、枠材２０と並べて設けられている。
【００１６】
枠材２０の下方には、枠材２０と並ぶように既存壁（既存の壁）３が設けられている。既存壁３は、釘やビス等の固着具９０により、枠２の外周に配置された既存胴縁１３に固定されている。
【００１７】
枠材２０の下面（既存壁３側の面）と、既存壁３の上端面（枠材２０側の端面）との間には、バックアップ材４０と、止水材４とが設けられている。バックアップ材４０は止水材４の屋内側に位置し、止水材４をバックアップする。
【００１８】
本実施形態の止水材４は、シーリング材である。止水材４は、枠材２０の下面と、既存壁３の上端面との間を止水する。これにより、雨水は枠材２０と既存壁３との間から屋内側に浸入し難くなり、既存胴縁１３や、窓台１１、合板１２等が雨水に濡れることが抑制される。
【００１９】
枠材２０は、既存壁３よりも屋外側に張り出した張出部２２を有している。本実施形態の張出部２２の屋外側端部には、下方に突出した突条２３が枠材２０の左右方向（長手方向）に亘って形成されている。
【００２０】
既存壁３の上端部（枠材２０側の端部）の屋外側で、かつ張出部２２の下方には、見切縁５が設けられている。
【００２１】
見切縁５は金属製であり、具体的には曲げ加工が施された鋼板製部材である。見切縁５は枠材２０の長手方向に延びた長尺な部材であり、枠材２０の長手方向の略全長に亘っている。なお、見切縁５は、例えばアルミニウムの押出成形品であってもよい。
【００２２】
見切縁５は、下方（枠材２０とは反対側）に開口した略コ字状に形成されており、覆片部５０、屋内側片部５１、及び屋外側片部５２を有している。覆片部５０は、水平な板状に形成されている。
【００２３】
屋内側片部５１は、覆片部５０の屋内側端から下方に向かって鉛直に延出し、屋外側片部５２は、覆片部５０の屋外側端から下方に向かって鉛直に延出している。屋内側片部５１は見切縁５の屋内側端部を構成し、屋外側片部５２は見切縁５の屋外側端部を構成している。
【００２４】
屋内側片部５１の下端部は、屋外側片部５２の下端よりも下方に延出している。屋外側片部５２の下端部には、先ず屋内側斜め下方に向かって折り返された屈曲部５４、次に屈曲部５４の下端から屋内側斜め上方に向かって折り返された折返部５３が形成されている。
【００２５】
屋内側片部５１は、既存壁３の上端部の屋外側の面に沿っている。屋内側片部５１の上端部は、既存壁３よりも上方に突出している。一方、屋内側片部５１の下端部は、屋外側から上方に折り曲げられている。
【００２６】
屋内側片部５１は、屋内側片部５１及び既存壁３を通って既存胴縁１３に打ち込まれた釘やビス等の固着具９１により既存胴縁１３に固定されている。これにより、見切縁５は既存壁３を介して既存胴縁１３に取り付けられている。
【００２７】
覆片部５０は既存壁３の上端面よりも上方でかつ上記止水材４の屋外側に位置しており、枠材２０の張出部２２の下面に沿って左右方向に延びている。覆片部５０の上面は、張出部２２の突条２３の下端に近接している。また、覆片部５０の屋外側部分は、枠材２０よりも屋外側に突出しており、屋外側片部５２は枠材２０よりも屋外側に位置している。
【００２８】
屋内側片部５１と屋外側片部５２との間には、新設胴縁６（新設の胴縁６）が配置されている。本実施形態の新設胴縁６は、横胴縁であって、見切縁５の長手方向（左右方向）に延びており、長手方向と直交する断面形状が縦長矩形状である。
【００２９】
新設胴縁６の屋内側面６０は、屋内側片部５１に沿っている。新設胴縁６の上端面は覆片部５０に沿っている。また、新設胴縁６の下端面は、上記屋内側片部５１の下端よりも上方に位置していると共に、上記屋外側片部５２の下端（折返部５３）よりも下方に位置している。
【００３０】
新設胴縁６は、当該新設胴縁６、屋内側片部５１、及び既存壁３を通って既存胴縁１３に打ち込まれた釘やビス等の固着具９２により、見切縁５の屋内側片部５１及び既存壁３を介して既存胴縁１３に固定されている。この固着具９２は、屋外側片部５２の下端よりも下側において上記新設胴縁６及び屋内側片部５１を、既存壁３を介して既存胴縁１３に固定している。
【００３１】
屋外側片部５２と新設胴縁６との間（屋内側片部５１と屋外側片部５２との間における屋外側の領域）には、新設壁（新設の壁）７の上端部が位置している。新設壁７は、例えば金属サイディングによって構成される。
【００３２】
新設壁７の上端部における屋内側の面は、新設胴縁６の屋外側の面に沿っている。新設壁７の上端面は、新設胴縁６の上端面よりも下方に位置している。新設壁７は、上端部が折返部５３によって弾性的に屋内側に押圧されている。新設壁７の上端部は、釘やビス等の固着具９３により、新設胴縁６に固定されている。この固着具９３は、上記固着具９２と上記折返部５３との間において新設壁７を上記新設胴縁６に固定している。
【００３３】
新設壁７の上端部及び新設胴縁６は、下方に開口した略コ字状の見切縁５の内側に抱え込まれるように配置されている。これにより、新設壁７の上端面及び新設胴縁６の上端面は、見切縁５の覆片部５０によって覆われている。また、新設壁７の上端部の屋外側の面は、見切縁５の屋外側片部５２によって覆われている。また、新設胴縁６の屋内側面６０は、上下方向の全長に亘って、見切縁５の屋内側片部５１により覆われている。すなわち、見切縁５は、新設壁７及び新設胴縁６を、新設壁７の屋外側面から新設壁７の上端面、新設胴縁６の上端面及び新設胴縁６の屋内側面に亘って覆っている。また、新設壁７の屋外側の面における上端部と見切縁５の折返部５３との間には、シーリング１４が左右方向全体に亘って設けられている。
【００３４】
また、屈曲部５４と折返部５３により、新設胴縁６と新設壁７の厚みがばらついた場合に生じる隙間を調整し易くなる。即ち、屋外側片部５２の内面と新設壁７の表面との間に調整用空間を設けるのが望ましく、屋外側片部５２が新設壁７から大きく前方に位置した場合、折返部５３のみではその下端も大きく前方に位置するため、意匠性に劣るとともに、シーリング１４もより多く必要となり、目立つものとなる。これに対し、屈曲部５４を設けることで、同じ調整用空間を確保した場合でも、下端（屈曲部５４と折返部５３との接続部）が新設壁７に近づくため、屋外側片部５２の室外側への飛び出しが目立ち難くなる。
【００３５】
上述した新設壁７は、次の手順で施工される。先ず、既存壁３の上端部に見切縁５を、その覆片部５０が枠材２０の突条２３に近接するように配置する。次に、屋内側片部５１の屋外側から固着具９１を打ち込み、見切縁５を既存胴縁１３に固定する。このとき、固着具９１を屋外側片部５２の下端よりも下側で打ち込むことにより、この屋外側片部５２に干渉せず、スムーズに固定することができる。次に、新設胴縁６を屋内側片部５１に当てるとともに、覆片部５０に当てた状態で、新設胴縁６の屋外側から固着具９２を打ち込み、新設胴縁６を既存胴縁１３に固定する。このとき、固着具９２を新設胴縁６の下端近傍に打ち込むことにより、固着具９１と同様に、スムーズに固定することができる。その後、新設壁７を新設胴縁６と屋外側片部５２との間に下方から差し込み、固着具９３を新設壁７の屋外側から打ち込み、新設壁７を新設胴縁６に固定する。最後に、新設壁７と見切縁５の折返部５３との間にシーリング１４を打設する。
【００３６】
本実施形態の外壁構造では、前述したように新設胴縁６の屋内側面６０が、見切縁５の屋内側片部５１によって覆われるため、仮に枠材２０の下面と見切縁５の上面（詳しくは、張出部２２の突条２３の下端と、覆片部５０の上面）との間から、雨水が浸入したとしても、新設胴縁６が濡れ難い。このため、新設胴縁６が雨水に濡れて腐る等の不具合が生じ難い。特に木製胴縁の場合に有効である。
【００３７】
また、枠材２０と見切縁５との間から浸入した雨水は、見切縁５の覆片部５０の上面及び屋内側片部５１の屋内側の面を伝って既存壁３にまで至る可能性があるが、この雨水は既存の止水材４によって止水される。このため、既存胴縁１３が雨水に濡れる可能性も低い。特に木製胴縁の場合に有効である。従って、本実施形態の外壁構造にあっては、枠材２０と見切縁５との間を止水処理することなく、新設胴縁６及び既存胴縁１３が雨水に濡れることを抑制でき、施工を容易にすることができる。
【００３８】
（補足）
なお、本実施形態の見切縁５は、金属製であるが、耐水性があれば、他の材料から形成されてもよい。
【００３９】
また、本実施形態の見切縁５は、覆片部５０、屋内側片部５１、及び屋外側片部５２で構成されているが、少なくとも新設壁７の端部及び新設胴縁６を抱え込むような部分を有すればよく、見切縁５の形状は図１に示す形状に制限されない。
【００４０】
また、新設壁７は金属サイディングに限られず、例えば窯業系サイディング等であってもよい。
【００４１】
また、本実施形態の外壁構造では、枠材２０と見切縁５との間の止水処理が施されていないが、例えば図２に示す参考例と同様に、枠材２０と見切縁５との間をシーリング材８によって止水しても構わない。この場合、シーリング材８の経年劣化等に伴って、枠材２０と見切縁５との間から雨水が浸入したとしても、既存胴縁１３を濡れ難くすることができる。
【００４２】
また、本実施形態の止水材４は、湿式の止水材（シーリング材）であるが、乾式の止水材であってもよい。
【００４３】
また、本実施形態は、本発明を開口部１０下側の外壁構造に適用した例であるが、本発明は、開口部１０の左側、右側、あるいは上側の外壁構造にも適用可能である。例えば、開口部１０の左側、又は右側に適用した場合には、既存胴縁１３及び新設胴縁６の各々は、縦胴縁となる。
【００４４】
また、この他、本実施形態の外壁構造は本発明の趣旨を逸脱しない範囲で適宜設計変更可能である。
【００４５】
（効果）
以上説明した本実施形態の外壁構造は、以下に示す特徴を有している。外壁構造は、枠材２０と、既存胴縁１３と、既存壁３と、止水材４と、見切縁５と、新設胴縁６と、新設壁７とを備えている。枠材２０は、建物の開口部１０に設けられた枠２の一辺を構成している。既存胴縁１３は、枠２の外周に位置し、枠材２０と並んでいる。既存壁３は既存胴縁１３に取り付けられている。止水材４は、枠材２０と既存壁３との間に設けられている。見切縁５は、既存壁３の屋外側に位置し、既存壁３を介して既存胴縁１３に取り付けられている。新設胴縁６は、見切縁５及び既存壁３を介して既存胴縁１３に取り付けられている。新設壁７は、新設胴縁６に取り付けられている。見切縁５は、新設壁７及び新設胴縁６を、新設壁７の屋外側面から新設壁７の枠材２０側の端面、新設胴縁６の枠材２０側の端面及び新設胴縁６の屋内側面に亘って覆っている。以下、この特徴を有する外壁構造を第１の態様の外壁構造という。
【００４６】
第１の態様の外壁構造では、見切縁５により、新設壁７の屋外側面から新設壁７の枠材２０側の端面、新設胴縁６の枠材２０側の端面及び新設胴縁６の屋内側面に亘って覆れている。特に新設胴縁６の屋内側面６０が、見切縁５によって覆われているため、仮に枠材２０と見切縁５の覆片部５０との間から、雨水が浸入したとしても、新設胴縁６が濡れ難い。また、枠材２０と見切縁５との間の止水処理を十分に行うことなく、新設胴縁６が雨水に濡れることを抑制できるため、施工を容易にすることもできる。
【００４７】
また、本実施形態の外壁構造は、第１の態様の外壁構造が有する特徴に加えて、以下に示す付加的な特徴を有している。見切縁５は、屋内側端部が既存壁３と新設胴縁６との間に配置されて、見切縁５の屋内側端部及び既存壁３を通って既存胴縁１３に打ち込まれた固着具９１により既存胴縁１３に取り付けられている。新設胴縁６は、新設胴縁６、見切縁５の屋内側端部、及び既存壁３を通って既存胴縁１３に打ち込まれた固着具９２により既存胴縁１３に取付けられている。以下、この特徴を有する外壁構造を第２の態様の外壁構造という。
【００４８】
第２の態様の外壁構造は、新設胴縁６の屋内側面６０を覆う、見切縁５の屋内側端部を利用して、見切縁５を既存胴縁１３に取り付けることができる。また、新設胴縁６は、新設胴縁６、見切縁５の屋内側端部、及び既存壁３を通した固着具９２により既存胴縁１３に取り付けることができる。
【符号の説明】
【００４９】
１３  既存胴縁
２  枠
２０  枠材
３  既存壁
４  止水材
５  見切縁
５０  覆片部
５１  屋内側片部
５２  屋外側片部
６  新設胴縁
６０  屋内側面
７  新設壁
９１  固着具
９２  固着具
【図１】
2018053515.tif 000003
【図２】
2018053515.tif 000004